(57)【要約】  完了したプレスに必要な仕事がツールの限界仕事出力よりも大きい場合にプレスを完了するために多段階プレス動作を実行するよう制限された仕事出力のプレスツールを用いるシステムを開示する。システムは、プレスツールでプレスを完了するために調節可能な係合面で多段階プレス動作を容易化するよう設計される、プレスリングアクチュエータ組立体、多数のプレスリング部を有するプレスリング組立体、または、その組み合わせを含む。
2008521612.tif 000002
【特許請求の範囲】
【請求項１】
取り付け部品をプレスするシステムであって、
所与の仕事出力を有するプレスツールと、
プレスリングアクチュエータ組立体と、
プレスリング組立体と、を備え、
プレスリングアクチュエータ組立体、プレスリング組立体、または、その組み合わせは、取り付け部品に対するプレスを完了するために多段階プレス動作を実行するよう適応され、取り付け部品に対する完全なプレスに必要な仕事はツールの所与の仕事出力よりも大きい、システム。
【請求項２】
多段階プレス動作を実行するよう適応されるプレスリングアクチュエータ組立体、プレスリング組立体、または、その組み合わせが、部分的なプレスまたは完全なプレスに関してプレスリングアクチュエータ組立体、プレスリング組立体、または、その組み合わせを調節する手段を備える、請求項１に記載のシステム。
【請求項３】
プレスリングアクチュエータ組立体が、第１の顎部および第２の顎部を備え、顎部間の最大顎部間隔を調節するよう適応される、請求項１に記載のシステム。
【請求項４】
少なくとも一つの顎部は偏心ピンの回りで回転可能であり、顎部間の顎間隔は少なくとも一つの顎部に対する偏心ピンの回転位置に依存する、請求項３に記載のシステム。
【請求項５】
各顎部は偏心ピンについて回転可能であり、偏心ピンは連結されることで、一方のピンが回転されると他方のピンを回転させる固定の回転関係が維持される、請求項４に記載のシステム。
【請求項６】
顎部に対して調節可能な力のプロフィールを更に備え、少なくとも一つの顎部は第１の角度で第１の係合面を有し、第２の角度で第２の係合面を有する、請求項３に記載のシステム。
【請求項７】
第１の形状の第１の組の先端部分であって、顎部に着脱可能に結合される第１の組の先端部分と、第１の形状と異なる第２の形状の第２の組の先端部分であって、顎部間隔を調節するために第１の組の先端部分と交換可能な第２の組の先端部分と、を更に備える、請求項３に記載のシステム。
【請求項８】
プレスリング組立体が、第１のプレスリング部と第２のプレスリング部とを有する調節可能なプレスリング組立体であって、プレスを完了するためにプレスリング部間の間隔を調節するよう調節可能な係合面を有する調節可能なプレスリング組立体を備える、請求項１に記載のシステム。
【請求項９】
調節可能な係合面が、第１のプレスリング部、第２のプレスリング部、または、その組み合わせに結合される一つ以上の回転可能な偏心ピンを備え、回転することでリング部間の間隔を変更するよう適応される、請求項８に記載のシステム。
【請求項１０】
一つ以上の回転可能な偏心ピンが、リング部を結合するために使用されるピンを含む、請求項９に記載のシステム。
【請求項１１】
調節可能な係合面が、第１のプレスリング部、第２のプレスリング部、または、その組み合わせに結合される一つ以上の横方向に摺動可能なピンを有し、横方向に移動することでリング部間の間隔を変更するよう適応される、請求項８に記載のシステム。
【請求項１２】
調節可能な係合面が、第１のプレスリング部、第２のプレスリング部、または、その組み合わせに結合される一つ以上の回転可能な偏心ピンを備え、回転することでリング部間の間隔を変更するよう適応される、請求項８に記載のシステム。
【請求項１３】
調節可能な係合面が、プレスリング部に結合される一つ以上の可動素子を備え、プレスリングアクチュエータ組立体の顎部と係合する位置に選択的に移動してプレスリング組立体で顎部の係合の間隔を調節するよう適応される、請求項８に記載のシステム。
【請求項１４】
調節可能な係合面が、プレスリング部に結合される一つ以上の歯止め素子を備え、プレスリングアクチュエータ組立体の顎部と係合する位置に選択的に移動してプレスリング組立体で顎部の係合の間隔を調節するよう適応される、請求項８に記載のシステム。
【請求項１５】
調節可能なプレスリング組立体が、第１および第２のプレスリング部に結合される少なくとも第３のプレスリング部と第４のプレスリング部を備え、第１および第２のプレスリング部は第１の間隔で取り付け部品と係合するよう寸法が決められ、第３および第４のプレスリング部は第２の間隔で取り付け部品と係合するよう寸法が決められる、請求項８に記載のシステム。
【請求項１６】
少なくとも一つのプレスリング部が、プレス動作が順に実行されることを必要とする他のプレスリング部と整合する整合素子を有する、請求項１５に記載のシステム。
【請求項１７】
第１の油圧シリンダにおける第１のピストンが第２の油圧シリンダにおける異なるサイズ、ストローク、または、その組み合わせの第２のピストンに結合され、逆止め弁が間に配置される、油圧倍力器を備える、請求項１に記載のシステム。
【請求項１８】
多段階プレス動作で取り付け部品をプレスするシステムであって、
所与のストロークを有するプレスツールで取り付け部品をプレスする際に投入される総仕事量を増加するよう適応され、
プレスを完了するために調節可能な係合面を有し、調節可能な係合面がプレスリングアクチュエータ組立体、またはプレスリングアクチュエータ組立体と協働してプレスするよう適応されるプレスリング組立体、または、その組み合わせに結合される、システム。
【請求項１９】
プレスリングアクチュエータ組立体が、第１の顎部および第２の顎部を備え、顎部間の最大顎部間隔を調節するよう適応される、請求項１８に記載のシステム。
【請求項２０】
少なくとも一つの顎部は偏心ピンの回りで回転可能であり、顎部間の顎間隔は少なくとも一つの顎部に対する偏心ピンの回転位置に依存する、請求項１９に記載のシステム。
【請求項２１】
各顎部が偏心ピンについて回転可能であり、偏心ピンは連結されることで、一方のピンが回転されると他方のピンを回転させる固定の回転関係が維持される、請求項２０に記載のシステム。
【請求項２２】
顎部に対して調節可能な力のプロフィールを更に備え、少なくとも一つの顎部は第１の角度で第１の係合面を有し、第２の角度で第２の係合面を有する、請求項１９に記載のシステム。
【請求項２３】
第１の形状の第１の組の先端部分であって、顎部に着脱可能に結合される第１の組の先端部分と、第１の形状と異なる第２の形状の第２の組の先端部分であって、顎部間隔を調節するために第１の組の先端部分と交換可能な第２の組の先端部分と、を更に備える、請求項１９に記載のシステム。
【請求項２４】
顎部が、第１の顎部の第１の形状の先端部分と第２の顎部の第２の形状の先端部分とを用いて顎部間隔を更に調節するよう適応される、請求項２３に記載のシステム。
【請求項２５】
調節可能なプレスリング組立体が、第１のプレスリング部と第２のプレスリング部とを備え、調節可能なプレスリング組立体はプレスを完了するためにプレスリング部間の間隔を調節するよう調節可能な係合面を有する、請求項１８に記載のシステム。
【請求項２６】
調節可能な係合面が、第１のプレスリング部、第２のプレスリング部、または、その組み合わせに結合される一つ以上の回転可能な偏心ピンを備え、回転することでリング部間の間隔を変更するよう適応される、請求項２５に記載のシステム。
【請求項２７】
一つ以上の回転可能な偏心ピンが、リング部を結合させるために用いられ、リング部が互いに対して回りでピボットするピボットピンを備える、請求項２６に記載のシステム。
【請求項２８】
調節可能な係合面が、第１のプレスリング部、第２のプレスリング部、または、その組み合わせに結合される一つ以上の横方向に摺動可能なピンを備え、横方向に移動することでリング部間の間隔を変更するよう適応される、請求項２５に記載のシステム。
【請求項２９】
調節可能な係合面が、第１のプレスリング部、第２のプレスリング部、または、その組み合わせに結合される一つ以上の回転可能な偏心ピンを備え、回転することでリング部間の間隔を変更するよう適応される、請求項２５に記載のシステム。
【請求項３０】
調節可能な係合面が、プレスリング部に結合される一つ以上の可動素子を備え、プレスリングアクチュエータ組立体の顎部と係合する位置に選択的に移動してプレスリング組立体で顎部の係合の間隔を調節するよう適応される、請求項２５に記載のシステム。
【請求項３１】
調節可能な係合面が、プレスリング部に結合される一つ以上の歯止め素子を有し、プレスリングアクチュエータ組立体の顎部と係合する位置に選択的に移動してプレスリング組立体で顎部の係合の間隔を調節するよう適応される、請求項２５に記載のシステム。
【請求項３２】
調節可能なプレスリング組立体が、第１および第２のプレスリング部に共に結合される少なくとも第３のプレスリング部と第４のプレスリング部を備え、第１および第２のプレスリング部は第１の間隔で取り付け部品と係合するよう寸法が決められ、第３および第４のプレスリング部は第２の間隔で取り付け部品と係合するよう寸法が決められる、請求項２５に記載のシステム。
【請求項３３】
少なくとも一つのプレスリング部が、プレス動作が順に実行されることを必要とする他のプレスリング部と整合する整合素子を備える、請求項３２に記載のシステム。
【請求項３４】
第１の油圧シリンダにおける第１のピストンが第２の油圧シリンダにおける異なるサイズの第２のピストンに結合され、逆止め弁が間に配置される、プレスリングアクチュエータ組立体に結合される油圧倍力器を備える、請求項１８に記載のシステム。
【請求項３５】
多段階プレス動作で取り付け部品をプレスする方法であって、
取り付け部品の回りにプレスリング組立体を配置するステップを含み、プレスリング組立体は互いにピボット結合される第１のリング部および第２のリングを有し、方法はまた
一対の顎部を有するプレスリングアクチュエータ組立体でプレスリング組立体を係合するステップと、
少なくとも部分的に取り付け部品をプレスするために第１および第２のリング部を互いの方向にプレスするようプレスリングアクチュエータ組立体を作動するステップと、
プレスリングアクチュエータ組立体、プレスリング組立体、または、その組み合わせを調節して取り付け部品のより小さい断面寸法を収容し、プレスリングアクチュエータ組立体を再作動してプレスリングでプレスを完了し、所与のストロークを有するプレスツールで取り付け部品をプレスする際に投入される総仕事量を増大させるステップと、を備える方法。
【請求項３６】
調節するステップが、プレスリングアクチュエータ組立体、プレスリング組立体、または、その組み合わせに結合される一つ以上の係合面を調節することを備える、請求項３５に記載の方法。
【請求項３７】
プレスリングアクチュエータ組立体が、第１の顎部および第１の顎部にピンで結合される第２の顎部を備え、
プレスリングアクチュエータ組立体を調節することは、顎部に対してピンを回転させることで顎部間の間隔を調節することを備える、請求項３６に記載の方法。
【請求項３８】
ピンが、偏心部分を備え、顎部に対してピンを回転させることは偏心部分を回転させて間隔を調節することを備える、請求項３７に記載の方法。
【請求項３９】
少なくとも一方の顎部に第１の角度で第１の係合面を設け、第２の角度で第２の係合面を設けることで顎部に対する力のプロフィールを調節するステップを更に備える、請求項３７に記載の方法。
【請求項４０】
第１の形状の第１の組の先端部分であって、顎部に着脱可能に結合される第１の組の先端部分と、第１の形状と異なる第２の形状の第２の組の先端部分を更に備え、プレスリングアクチュエータ組立体を調節することは第１の組の先端部分を第２の組の先端部分で交換して顎部の間隔を調節することを備える、請求項３７に記載の方法。
【請求項４１】
プレスリング組立体が第１のプレスリング部と第２のプレスリング部とを備え、プレスリング組立体を調節することはプレスリング部間の一つ以上の係合面を調節することを備える、請求項５に記載の方法。
【請求項４２】
係合面が第１のプレスリング部、第２のプレスリング部、または、その組み合わせに結合される一つ以上の回転可能な偏心ピンを備え、一つ以上の係合面を調節することは一つ以上の偏心ピンを回転することを備える、請求項４１に記載の方法。
【請求項４３】
係合面が、第１のプレスリング部、第２のプレスリング部、または、その組み合わせに結合される一つ以上の横方向に摺動可能なピンを備え、一つ以上の係合面を調節することは一つ以上の偏心ピンを横方向に摺動することを備える、請求項４１に記載の方法。
【請求項４４】
係合面が、プレスリング部に結合される一つ以上の可動素子を備え、一つ以上の係合面を調節することは一つ以上の可動素子をプレスリングアクチュエータ組立体の顎部と係合する位置に移動することを備える、請求項４１に記載の方法。
【請求項４５】
調節可能な係合面が、プレスリング部に結合される一つ以上の歯止め素子を備え、一つ以上の係合面を調節することは一つ以上の歯止め素子をプレスリングアクチュエータ組立体の顎部と係合する位置に移動することを備える、請求項４１に記載の方法。
【請求項４６】
調節可能なプレスリング組立体が、第１および第２のプレスリング部に結合される少なくとも第３のプレスリング部と第４のプレスリング部を備え、一つ以上の係合面を調節することは第１の間隔において第１および第２のプレスリング部で取り付け部品を係合し、第２の間隔において第３および第４のプレスリングで取り付け部品を係合することを備える、請求項４１に記載の方法。
【請求項４７】
少なくとも一つのプレスリング部は整合素子を備え、プレスリングアクチュエータ組立体を作動することは順次に第３および第４のプレスリング部の作動に対して第１および第２のプレスリング部の作動を制限することを備える、請求項４６に記載の方法。
【請求項４８】
プレスリングアクチュエータ組立体が、取り付け部品をプレスする際に投入される仕事を増大するよう油圧倍力器を作動することを備える、請求項３５に記載の方法。
【請求項４９】
多段階プレス動作で取り付け部品をプレスするシステムであって、第１の顎部および第２の顎部を有するプレスリングアクチュエータ組立体を備え、プレスリングアクチュエータ組立体は顎間の最大顎部間隔を調節するよう適合される、システム。
【請求項５０】
プレスリングアクチュエータ組立体と選択的に係合するよう適応されるプレスリング組立体を更に備える、請求項４９に記載のシステム。
【請求項５１】
少なくとも一つの顎部が偏心ピンについて回転可能であり、顎部間の顎間隔は少なくとも一つの顎部に対する偏心ピンの回転位置に依存する、請求項４９に記載のシステム。
【請求項５２】
各顎部が偏心ピンについて回転可能であり、偏心ピンは連結されることで、一方のピンが回転されると他方のピンを回転させる固定の回転関係が維持される、請求項５１に記載のシステム。
【請求項５３】
顎部に対して調節可能な力のプロフィールを更に備え、少なくとも一つの顎部は第１の角度で第１の係合面を有し、第２の角度で第２の係合面を有する、請求項４に記載のシステム。
【請求項５４】
第１の形状の第１の組の先端部分であって、顎部に着脱可能に結合される第１の組の先端部分と、第１の形状と異なる第２の形状の第２の組の先端部分であって、顎部間隔を調節するために第１の組の先端部分と交換可能な第２の組の先端部分と、を更に備える、請求項４９に記載のシステム。
【請求項５５】
第１の油圧シリンダにおける第１のピストンが第２の油圧シリンダにおける異なるサイズの第２のピストンに結合され、逆止め弁が間に配置される、プレスリングアクチュエータ組立体と接続される油圧倍力器を備える、請求項４９に記載のシステム。
【請求項５６】
多段階プレス動作で取り付け部品をプレスするシステムであって、プレスを完了するために調節可能な係合面を有するプレスリング組立体を備える、システム。
【請求項５７】
プレスリング組立体と選択的に係合可能なプレスリングアクチュエータ組立体を備える、請求項５６に記載のシステム。
【請求項５８】
プレスリング組立体が、第１のプレスリングと第２のプレスリング部とを備え、プレスリング組立体はプレスを完了するためにプレスリング部間の間隔を調節するよう調節可能な係合面を有する、請求項５６に記載のシステム。
【請求項５９】
調節可能な係合面が、第１のプレスリング部、第２のプレスリング部、または、その組み合わせに結合される一つ以上の回転可能な偏心ピンを備え、回転することでリング部間の間隔を変更するよう適応される、請求項５８に記載のシステム。
【請求項６０】
一つ以上の回転可能な偏心ピンが、リング部を結合するために使用され、回りでリング部が互いに対してピボットするためのピボットピンを備える、請求項５９に記載のシステム。
【請求項６１】
調節可能な係合面が、第１のプレスリング部、第２のプレスリング部、または、その組み合わせに結合される一つ以上の横方向に摺動可能なピンを備え、横方向に移動することでリング部間の間隔を変更するよう適応される、請求項５８に記載のシステム。
【請求項６２】
調節可能な係合面が、第１のプレスリング部、第２のプレスリング部、または、その組み合わせに結合される一つ以上の回転可能な偏心ピンを備え、回転することでリング部間の間隔を変更するよう適応される、請求項５８に記載のシステム。
【請求項６３】
調節可能な係合面が、プレスリング部に結合される一つ以上の可動素子を備え、プレスリングアクチュエータ組立体の顎部と係合する位置に選択的に移動してプレスリング組立体で顎部の係合の間隔を調節するよう適応される、請求項５８に記載のシステム。
【請求項６４】
調節可能な係合面が、プレスリング部に結合される一つ以上の歯止め素子を備え、プレスリングアクチュエータ組立体の顎部と係合する位置に選択的に移動してプレスリング組立体で顎部の係合の間隔を調節するよう適応される、請求項５８に記載のシステム。
【請求項６５】
プレスリング組立体が、第１および第２のプレスリング部に結合される少なくとも第３のプレスリング部と第４のプレスリング部を備え、第１および第２のプレスリング部は第１の間隔で取り付け部品と係合するよう寸法が決められ、第３および第４のプレスリング部は第２の間隔で取り付け部品と係合するよう寸法が決められる、請求項５８に記載のシステム。
【請求項６６】
少なくとも一つのプレスリング部が、プレス動作が順に実行されることを必要とする他のプレスリング部と整合する整合素子を備える、請求項６５に記載のシステム。
【請求項６７】
第１の油圧シリンダにおける第１のピストンが第２の油圧シリンダにおける異なるサイズの第２のピストンに結合され、逆止め弁が間に配置される、プレスリング組立体と選択的に係合可能な油圧倍力器を備える、請求項５６に記載のシステム。
【請求項６８】
取り付け部品の回りにプレスリング組立体を配置するステップと、プレスリング組立体は互いにピボット結合される第１のリング部および第２のリング部を有し、さらに
一対の顎部を有するプレスリングアクチュエータ組立体でプレスリング組立体を係合するステップと、
少なくとも部分的に取り付け部品をプレスするために第１および第２のリング部を互いの方向にプレスするようプレスリングアクチュエータ組立体を作動するステップと、
プレスリングアクチュエータ組立体、プレスリング組立体、または、その組み合わせを調節して取り付け部品のより小さい断面寸法を収容し、プレスリングアクチュエータ組立体を再作動してプレスリングでプレスを完了し、所与のストロークを有するプレスツールで取り付け部品をプレスする際に投入される総仕事量を増大させるステップと、を備える処理によって製造されるプレスされた取り付け部品。
【発明の詳細な説明】
【技術分野】
【０００１】
本発明は、一般的に、管の接続部へ取り付け部品をプレスする装置に関し、特に、そのような取り付け部品をプレスする際に使用される装置に関する。
【背景技術】
【０００２】
圧縮取り付け部品は、典型的には、シール部を含む筒状のスリーブである。取り付け部品は、管の端部を係合するよう半径方向に圧縮される。圧縮取り付け部品は、管の端部との間でリーク抵抗接合部を構成する。接合部は、相当な機械的強度を有し、自己支持可能である。取り付け部品を圧縮するためには、プレスツールが必要である。
【０００３】
プレスツールは、典型的には、ピストンを備える油圧シリンダを含むプレスツールと、接合されるべき管部分に取り付け部品をプレスするためにプレス取り付け部品に加えられる力にピストンの動きを変換する装置と、を含む。幾つかの管の直径について、押圧用顎部は、プレスツールに結合されて、プレスされるべき取り付け部品の回りに配置される。このような配置について、プレスツールの油圧ピストンは、ピストンが押圧用顎部のアームに接触するよう作動されると線形路に沿って転がるローラを通常含む。ツールが作動されると、ピストンは線形路に沿って固定距離だけ移動してピストンをそのローラでアームに押し付ける。ローラは、直線係合で顎部の端部と係合してピボットさせ、顎部間に配置される圧縮取り付け部品をプレスする。押圧用顎部を含むプレスツールの例は図１および図２に示される。
【０００４】
ある管のサイズ（典型的には、大きめのサイズ）に関して、押圧用顎部の使用は、容易に移動可能で且つプレス取り付け部品の回りに取り付けられるに十分に大きい顎部を構成することが困難且つ扱いにくいため、制限されている。このような用途では、プレスリングまたはプレススリングがプレス動作を容易化するためにしばしば使用される。この場合、プレスリングは、プレスされるべき取り付け部品の回りに配置され、プレスリングアクチュエータがプレスツールに接続される。プレスリングアクチュエータは、ピボットアームを含む点で押圧用顎部に類似しているが、プレスリングアクチュエータは、プレスリングアクチュエータの顎部をピボットさせるツールの作動が取り付け部品をプレスするようプレスリングに力を加えるようにプレスリングと接続される。
【０００５】
一般的に、プレスツールは、ツールの各作動が固定距離路に沿った油圧ピストンの動きを生ずるように設計される。所与のツールに対してピストンが移動する線形距離は、ツールの「ストローク」として称される場合がある。ストロークに沿って移動するピストンの力出力は、油圧シリンダとピストンの大きさ、幾何学的形状、および、他の特徴に依存する。一般的に、ピストンの単一ストローク中にプレスツールが与えることができる「仕事」出力の最大量は、ツールの作動の際にピストンが移動した距離が乗算されるツールの力出力に対応する。例えば、４０ｍｍのピストンの移動で３２ｋＮの力を加えることができるツールからの典型的な最大仕事出力は１．２８０ｋＮ−ｍである。実際に、多数の構成要素間の間隙および合成許容範囲等の固有のシステム制限、および、１．５ｍｍのオーダの無駄なストロークで引込められたローラを顎部が開けるに必要とする動作条件により、最大理論仕事出力を１００％利用することは不可能である。
【０００６】
所与のプレスツールの最大仕事出力に対する制限は、同じツールが小さい管（押圧用顎部または小さいプレスリングが使用される）で使用される場合、および、大型のプレスリングが使用される場合より大きい管の大きさで使用される場合に問題が生ずる。ある用途では、ツールの最大仕事出力は、ツールの使用が望まれる全てのプレス取り付け部品を完全にプレスするに必要な仕事量を与えるに不十分である。従って、大型および小型のプレス取り付け部品で仕事をする人は、小型プレスツール（小さい取り付け部品との使用）と、大型プレス取り付け部品（小型ツールから利用可能な仕事出力よりも大きい仕事出力を必要とする場合）を必要とする不定期な場合に対して大型プレスツールとの両方を携帯しなくてはならない。多数のプレスツールに対するこの要求は、コストを増加させ、メンテナンス、機器の需要、および、他の望ましくない結果を生ずる。幾つかのシステムは、単一のスリングと多数のアクチュエータ（顎部）を用いて二段プレス動作を提供する一方で、多数のアクチュエータへの要求は、著しい追加重量の使用および運搬を伴い、プレス中にツールから最初のアクチュエータを取り外して第２のアクチュエータと置き換える必要性は、複雑であり、煩わしく、比較的遅く、更に、可能性としてエラーを生ずる動作である。
【発明の開示】
【発明が解決しようとする課題】
【０００７】
本開示は、取り付け部品をプレスするに必要な仕事がプレスツールの単一作動の際に生成される仕事よりも大きい場合に、プレスツールが取り付け部品を効率的且つ容易にプレスすることを可能にする装置に関わる。
【課題を解決するための手段】
【０００８】
本開示は、取り付け部品をプレスするに必要な仕事がツールの単一の作動の際に生成される仕事よりも大きい場合、または、多段階プレスが望ましい場合に簡単且つ容易に取り付け部品をプレスツール組立体がプレスすることを可能にする装置に関する。
【０００９】
本発明の上記概要、好ましい実施形態の説明、および、他の態様は、添付の図面と共に読むことで本発明の特定の実施形態の詳細な説明を参照するとより理解できるであろう。
【００１０】
本発明は様々な変形例および代替例に変更されてもよく、特定の実施形態は例として図面および本明細書に詳細に説明する。しかしながら、本発明は開示する特定の形態に制限されないことは理解されるであろう。本発明は、添付の特許請求の範囲で定められる本発明の範囲内の全ての変形例、等価物、および、代替例を網羅する。
【発明を実施するための最良の形態】
【００１１】
図面、特に、図１を参照するに、例示的なプレスツール組立体１０が示される。組立体１０は、プレスツール１２および顎組立体１４を含む。
【００１２】
プレスツール１２は、一般的に、当業者に知られている方法で顎組立体１４を作動するに使用される油圧式に作動されるピストン組立体（図１または図２に図示せず）を含む銃形状の装置である。プレスツール１２は、電池で、または、コードによって給電される。本開示の技術的内容を実施するために使用され得る知られているプレスツールの実施例は、リッジツール株式会社から入手可能なモデルＣＴ−４００およびモデル３２０−Ｅを含む。
【００１３】
図２は、図１に示す組立体１０の切欠側面図を示す。図示するように、顎組立体１４は、プレス取り付け部品と係合し、顎組立体１４が作動されるとそのような取り付け部品をプレスするよう大きさが決められて形状化される開口部３４を周辺端部に備える。更に、図に示すようにプレスツール１２は、ローラ３２Ａおよび３２Ｂを含む油圧式に作動されるピストン組立体３０を含む。例えば、トリガまたはスイッチの凹みを介してプレスツール１４が作動されると、油圧式に作動されるピストン組立体３０は、移動路に沿って顎組立体１４の方向に移動し、ローラ３２Ａおよび３２Ｂを顎部１６Ａおよび１６Ｂの先端部に係合させて顎部１６Ａおよび１６Ｂを閉じ、プレス取り付け部品が開口部３４に位置する場合には、取り付け部品をプレスする、あるいは、部分的にプレスする。
【００１４】
図３は、一般的に、プレス接続を実現するためのプレスリング組立体の使用を例示する。図示するように、プレスツール１２は、プレスリングアクチュエータ組立体３０に接続される。プレスリングアクチュエータ組立体は、上述の押圧用顎部１４に構成について類似するが、プレスリングアクチュエータ組立体３０のアームはプレスリング組立体３２と接続される点で主に異なる。例示する実施形態では、プレスリング組立体３２は、ピボット接合部で一緒に合わされる一般的に二つの半円部よりなる。動作において、プレスリング組立体３２は、プレスリングアクチュエータ組立体３０の先端部分がプレスリング組立体３２に設けられる切欠け内に配置された状態でプレスされるべきプレス取り付け部品３５の回りに配置され、プレスツール１２が作動される。プレスツールが作動すると、プレスリングアクチュエータ組立体３０のアームが動き、プレスリング組立体３２およびその取り付け部品３５を圧縮させる。
【００１５】
上述のとおり、ある大きさの取り付け部品に対して、プレスツールの一回の作動（例えば、図３のピストン型ツール１２については作動トリガを一回引くこと）によって生成される仕事量は、当該プレス取り付け部品を完全にプレスするには不十分である。従って、プレス動作を完了させるためには、プレスツールを数回作動する必要がある。所与のプレスツールについてストロークと力が制限されているため、プレス動作は調節なしでは同じプレスツール、プレスリングアクチュエータ組立体、および、プレスリング組立体を用いて完了することができない。本開示では、プレスツールの同じストロークでの更なる圧縮を可能にする部材の圧縮部分間の間隔を効果的に調節する、プレスリングアクチュエータ組立体、プレスリング組立体、または、その組み合わせの調節可能な係合面が設けられる。調節は、調節が行われない状態での部材の通常の能力を超える増加した仕事量を得るために行われる。
【００１６】
図４は、プレスツールを数回作動する必要がある場合にプレスを容易化し得る例示的なプレスリングアクチュエータ組立体を示す。図を参照するに、プレスリングアクチュエータ組立体４０が示される。プレスリングアクチュエータ組立体４０は、一般的に、プレスリングアクチュエータ組立体４０が交換可能な先端部分４２を含むという主な違い以外では知られているプレスリングアクチュエータ組立体に従って構成される。交換可能な先端部分は、特定の幾何学的形状および構成を含む第１の組の先端部分４２と、第１の組と少なくとも部分的に異なる第２の幾何学的形状および構成を有する第２の対の先端部分４３とを含む。交換可能な先端部分の大きさが異なるため、プレスリング組立体と接続される方法も異なり、二段階プレス動作を容易に実行するために図４のプレスリングアクチュエータ組立体を効率的に使用することが可能となる。例えば、プレスリングアクチュエータ組立体４０、プレスリング組立体、および、プレスツールを使用して従来の方法で最初のプレス動作を実行するために第１の組の先端部分４２が使用され得る。プレスリングアクチュエータ組立体４０は、プレスリングから取り外され、先端部分４２が先端部分４３で交換され、変更されたプレスリングアクチュエータ組立体４０を介してプレスツールがプレスリング組立体に接続され得る。二回目のプレスツールの作動により、プレス動作を完了するために必要な追加の仕事が与えられる。更に、ある場合には、プレス動作を完了するために三段階以上が望ましいこともある。例えば、制限的でなく、二つの同一のアクチュエータ先端部分４２が装着された状態で第１の段階が完了され得る。続いて、一方のアクチュエータ先端部分が異なる幾何学的形状の先端部分４３で交換されて第２の段階が完了され得る。更に、二つの同一のアクチュエータ先端部分４３を用いて第３の段階が完了され得る。追加的な段階は、先端部分４３と同様の異なる幾何学的形状を有するより多くの交換可能な先端部分を用いて実現される。
【００１７】
図４の実施形態では、先端部分４２および４３は、先端部分４２および４３から延在する突出部を受容するアクチュエータ組立体（図示せず）のアームの凹み開口部を含む締まり嵌め組立体を介してアクチュエータ顎部に結合される。これは、交換可能な先端部分４２および４３をアクチュエータ組立体４０の顎部に結合するために使用され得るアプローチ法の一つである。インターロック「パズル」ピース、ピンおよび受容スロット等の他のアプローチ法および技法が用いられてもよい。
【００１８】
図５は、迅速且つ便利な「二段階」プレス、および、一般的に、多段階プレスを容易化する別のアプローチ法を例示する。具体的には、図５は、本開示のある教示に従って構成される例示的なプレスリング組立体５０およびプレスリングアクチュエータ組立体５２の切り取り図を示す。一般的に、プレスリング組立体５０は、プレスリング組立体を構成するための知られている技法に従って構成される。しかしながら、例示する実施形態では、プレスリングアクチュエータ組立体が典型的には受容される凹みは二本のピン状素子５４ａおよび５４ｂを含む。例示する実施形態では、アクチュエータ組立体５２の顎部の先端部分は、いずれかの素子５４ａおよび５４ｂと係合するよう構成される。従って、二段階動作において、第１のプレス動作は、プレスリングアクチュエータ組立体５２を素子５４ａにおいてプレスリング組立体５０と係合させることで実行され得、アクチュエータ組立体５２が接続されたツールが初めて作動された後、プレスリングアクチュエータ組立体５２の先端部分が再位置決めされて素子５４ｂと係合し、第２のプレス動作が実行される。このようにして、多段階プレス動作は、複雑な操作者の動作が必要とされる場合に簡単に容易化され得る。更に、追加的な段階が望まれる場合、追加的なピン状素子５４Ａおよび５４Ｂが組立体に追加され得、それにより、三段階以上のプレス処理が可能となる。
【００１９】
図６は、多段階プレスを容易化するための別のプレスリング組立体６０を例示する。例示する実施形態では、プレスリング組立体６０は、従来のプレスリングアクチュエータの先端部分を受容する凹み６２ａおよび６２ｂを含む。凹みの幾何学的形状、および、プレスアクチュエータがリング組立体６０と係合する状態を調節するよう固定位置に回転され得る可動素子６４ａおよび６４ｂが凹み６２ａおよび６２ｂと位置決めされる。このようにして、プレスリングは、第１の位置に可動部材６４ａおよび６４ｂを位置決めすることで第１のプレス動作を行うよう構成され得、続いて、部材６４ａおよび６４ｂを移動または調節することで後続する動作を行うよう再構成される。
【００２０】
リング組立体６０の内径プロフィール６５は特定のプレス取り付け部品と協働するよう機械加工されることに留意すべきである。内径の輪郭は、押し付けられる取り付け部品によって様々な形状に機械加工され得る。輪郭は、取り付け部品のシールビードと保持プレス領域の両方を同時にプレスできるようにされ得る。プロフィールされた内径の概念は、本明細書において記載される全てのプレスリングに適用可能である。
【００２１】
図７は、図６とは別の実施形態を示す。図７では、プレスリング組立体７０は、凹み７２ａおよび７２ｂと、可動部材７４ａおよび７４ｂとを含む。図６の可動部材と同様に、可動部材７２ａおよび７２ｂは、多段階プレス動作を容易化するために凹み７２ａおよび７２ｂの幾何学的形状を変更するよう調節され得る。図７の実施例では、可動部材７４ａおよび７４ｂは、線形運動（例えば、摺動）により調節される。
【００２２】
図８Ａおよび図８Ｂは、多段階プレス動作を容易化するためにプレスリング組立体によってプレスリングアクチュエータ組立体の顎部が受容される凹みの幾何学的形状の更なる実施形態を示す。それぞれの実施形態では、プレスリングアクチュエータの先端部分を受容する表面を画定する可動素子は、アクチュエータ組立体の先端部分がプレスリング組立体によって受容されるが可動素子が受容されない第１の構成と、可動素子の一部分がプレスリングアクチュエータ組立体の顎部を受容する第２の構成とでプレスリング組立体が動作するよう固定位置に出入りするよう回転され得る。図８Ａの実施形態では、回転素子８２ａおよび８２ｂはアクチュエータ組立体の顎部が受容される凹みの外側でメインプレスリング組立体に取り付けられ、図８Ｂの実施形態では、回転素子８４ａおよび８４ｂはそのような凹み内のある点でプレスリングに結合され得る。
【００２３】
図９は、プレスリング組立体９０がリング組立体９０に設けられるプレスリングアクチュエータ組立体と整合する方法を変更する位置に移動する凹み９２ａおよび９２ｂに位置する摺動素子９４ａおよび９４ｂがプレスリング組立体９０に設けられる、可動素子の別の実施形態を示す。
【００２４】
図１０は、可動素子の代替的な設計を有する例示的なプレスリング組立体１００を示す。例示するリング組立体は、可動素子１０２ａおよび１０２ｂを含み、それぞれプレスリングアクチュエータ組立体の先端部分を受容する凹み１０４ａおよび１０４ｂを含む。例示する実施形態では、素子１０２ａおよび１０２ｂは、歯止め機構１０６ａおよび１０６ｂを介してプレスリング１００の主部分に結合される。使用する際、素子１０２ａおよび１０２ｂの位置は、アクチュエータの顎部がリング組立体１００に結合する方法を変更するようプレス段階間で調節され得る。このようにして、多段階プレスが簡単に可能となる。可動素子１０２ａおよび１０２ｂの再調節を可能にするために知られている技術により構成される解放機構が設けられてもよい。
【００２５】
図１１は、プレスリングアクチュエータの先端部分を受容する凹み１１２ａおよび１１２ｂを含むプレスリング組立体１１０を例示する。プレスリング組立体１１０の二つの主な部分は、偏心断面を有するピン１１６を含む調節可能なヒンジ素子１１４によって一緒に結合される。ピン１１６は、配置される位置によってプレスリング組立体１１０の二つの主な部分が互いに対して回転する点が変更されるよう調節可能である。このようにして、プレスリング組立体は、第１のプレス動作に対する第１の構成で動作するよう構成され得、ピン１１６は後続するプレス動作のためにリング組立体１１０の構成を変更するよう再位置決めされ得る。
【００２６】
図１２は、プレスリング組立体１１０と同様に、多段階プレス動作を可能にするために偏心部分を有するピンを用いるプレスリングアクチュエータ組立体１２０を例示する。本実施形態では、アクチュエータのアームは、二つのヒンジ点１２２Ａおよび１２２Ｂで一緒に結合される。各ヒンジ点は、偏心部分１２４を有するピンを含み、ピンはプレスリングアクチュエータ組立体の構成を変更するよう調節され得る。図１２の例示する実施形態では、結合素子１２６により、ヒンジ点１２２Ａおよび１２２Ｂと関連付けられるピンがタンデム式に回転することが確実となる。
【００２７】
図１３は、図６から図１１に示すプレスリング組立体および他のプレスリング組立体に対して有利に使用される一組のアクチュエータ顎部１３０を示す。上述した通り、図６から図１１に示す各プレスリングは、アクチュエータアームがプレスリングを係合する方法が調節可能となるよう多数の構成を提供するよう調節され得る。多くの場合、同じ組のプレスリングアクチュエータ組立体は、様々な構成でプレス動作を実施するよう有利に使用され得る。しかしながら、ある場合では、特定のリング構成に適合するよう調節されるプレスリングに力を加える力プロフィールを有することが望ましい。図１３のアクチュエータ組立体１３０は、複数のカム素子１３１および１３２を設けることで実現され、カム素子は油圧ピストンのローラがアクチュエータ組立体１３０と相互作用する場所として機能する。顎部が最広位置にある第１のプレス動作では、ローラはカム素子１３１でアクチュエータ組立体１３０と結合し、それにより、アクチュエータ組立体がそのストロークを介して移動すると特定の力プロフィールが与えられる。取り付け部品の予想圧縮のため、または、プレスリング組立体の構成に対する調節のため、第２のプレス動作では、油圧ピストンと結合されるローラが異なる力プロフィールを提供し得るよう顎部がより閉じた位置にあると予想される。カム素子１３１および１３２の表面がどのようにして調整されて所望の力プロフィールを提供するかの更なる詳細は、参照により組み込まれる「Ｃｒｉｍｐｉｎｇ  Ａｓｓｅｍｂｌｙ」（ＷＯ０３／０２２４８０公報）なる名称の同時係属中の米国特許第１０／２３８，３２９号明細書に記載されている。調整された斜面を有するアクチュエータ組立体を用いることで、様々な多段階プレスリング組立体設計について加える力を最適化することができる。
【００２８】
図１４は、図６から図１１に関連して説明した多段階プレスリング組立体を含むがそれに制限されない任意の多段階プレスリング組立体と使用され得るプレスリングインターロック概念を示す。図１４を参照するに、インターロックの特徴は、プレスリング組立体に歯止め機構１４０を組み込むことを伴う。例示する実施形態では、歯止め組立体は、プレスリングの一方の主部材に形成される歯付表面１４２と、プレスリングの別の主部材に結合されるピボット可能な歯１４４とを含む。歯は、歯付表面１４２と係合するようばね付勢される。プレスリング組立体がプレス取り付け部品について圧縮されると、歯１４４の係合素子は歯付表面１４２内で移動して、一旦最初のプレス動作が完了するとプレスリング組立体が再び開かれることを防止する。従って、最初のプレス処理後、プレスリング組立体はプレス取り付け部品に「ロックオン」され、取り外し可能でなくなる（歯の手動開放ができない）。このロックオンにより、それを含む任意の多段階リング組立体のユーザがプレス動作を完了することが防止され得る。例示する実施形態では、歯１４４が構成され付勢され、歯付表面１４２は、プレス処理が完了するとその大きさが決められ、それにより歯は自動的に非係合して開き、プレスリング組立体を取り除くことが可能となる。
【００２９】
図１４の例示する実施形態では、歯止め機構１４０は例示するプレスリング組立体の両側に繰り返し設けられる。歯止め機構がプレスリング組立体の片側にだけ設けられる代替的な実施形態も可能である。
【００３０】
本開示の更なる教示によると、プレス動作が実施され、プレス処理は二つ以上の別個の段階に分割され、取り付け部品が適用される管に対して取り付け部品を保持するために保持プレスを行うようプレスが実行される少なくとも一つのステップであって、少なくとも一つのプレスが嵌合シールを提供するようシールビードをプレスするよう実行されるステップが含まれる。図１５Ａおよび図１５Ｂは、多段階プレスの形態に特に適しているプレスリング組立体１５０を例示する。
【００３１】
図１５Ａおよび図１５Ｂを参照するに、共通の点１５４についてピボットするよう一緒に結合される多数のプレスリング部を形成する六つの略半円形状のセグメント１５２Ａ−１、１５２Ａ−２、１５２Ｂ−１、１５２Ｂ−２、１５２Ｃ−１、および、１５２Ｃ−２を含むプレスリング組立体が示される。各半円形状のセグメントは、一対のアクチュエータアームの先端部分を受容するようにサイズが決められたポケットを画定する。リング組立体１５０は、使用するとリング組立体がプレスされるべき取り付け部品上に配置されるようサイズが決められて設計される。そのようにして位置決めされると、セグメント１５２Ａ−１および１５２Ａ−２は、取り付け部品の一部の上に位置決めされて取り付け部品によって結合されるべき管素子の一つに対して最初の保持プレスを加え、セグメント１５２Ｂ−１および１５２Ｂ−２は、取り付け部品のある領域をプレスしてシールビードの封着プレスを与えるよう位置決めされ、セグメント１５２Ｃ−１および１５２Ｃ−２は、取り付け部品によって結合されるべき別の管素子に対して保持プレスを加えるよう位置決めされる。リング組立体が取り付け部品の周りに位置決めされた後、一対のアクチュエータ顎部の先端部分はセグメント１５２Ａ−１および１５２Ａ−２によって画定されるポケット内に位置決めされ、顎部が結合されるツールが作動され、それにより、当該取り付け部品を結合されるべきいずれかの管素子に固定する保持プレスが実行される。ツールは、アクチュエータアームの先端部分がセグメント１５２Ｂ−１および１５２Ｂ−２によって画定されるポケットに位置決めされるよう移動されて、作動され、シールビードプレスを加える。最後に、アクチュエータ顎部の先端部分は、セグメント１５２Ｃ−１および１５２Ｃ−２によって画定されるポケットに移動され、三回目の作動が行われて、第２の保持プレスが加えられる。
【００３２】
図１５Ａおよび図１５Ｂのプレスリング組立体１５０は、取り付け部品の両側に位置する保持プレス用領域を有する、シールビード領域が二つの保持プレス用領域間に位置決めされるプレス取り付け部品と使用されることが意図される。更に、リング部分の追加的な半円対も、多数の保持プレスまたは多段階クリンピングを可能にするシールビード位置を必要とする他の取り付け設計を受け入れるよう軸方向に追加され得る。ある取り付け部品は、半円対の再配置を必要とする。例えば、取り付け部品は、並列な保持プレスおよび、ＭａｐｒｅｓｓまたはＹｏｒｋｓｈｉｒｅから現在入手可能な取り付け部品の軸方向端部に設けられるシールビードを必要とすることがある。
【００３３】
上記実施例では、シールビード用のプレスは、第１の保持プレスが完了した後に実行される。説明した処理が、例示的であり他の処理が後続してもよいことに留意すべきである。例えば、シールビードプレスが最初に実行され、保持プレスが最後に実行される処理、または、二つの保持プレスが最初に完了され、ビードシールプレスが最後のプレス動作として実行される処理も考えられる。
【００３４】
図１６は、図１５Ａおよび図１５Ｂと関連して先に説明したのと同様のプレスリング組立体１６０を示す。この設計では、リング部の外側セグメント１６２Ａ−１、１６２Ａ−２、１６２Ｃ−１、および、１６２Ｃ−２は、切欠けセグメント１６４、１６５を有して設計され、対応する切欠けセグメントは図１６に示されないがセグメント１６２Ａ−２および１６２Ｃ−２に設けられて、中間セグメント１６２Ｂ−１および１６２Ｂ−２と対面することで中央プレス動作（シールビードプレス）が最初に、つまり、シーケンスで実行されることを確実にする。切欠け１６４および１６５の配置は、中間セグメント対１６２Ｂ−１および１６２Ｂ−２を用いたプレスの完了前にいずれかの外側セグメント対（１６２Ａ−１と１６２Ａ−２または１６２Ｃ−１と１６２Ｃ−２）を用いてプレスを加えることが試みられると、リング組立体のユーザが明らかにわかるようにプレスが失敗に終わるか、ツールがユーザに対してプレスが失敗したことを示す。失敗したプレスは、切欠け１６４および１６５（およびリングの下側の対応する切欠け）が中間セグメントを作動する前に外側セグメントが作動されるよう設計されることで確実にされ、それにより、外側セグメントは中間セグメントと係合して、内側セグメントのプレスの前に外側セグメントのプレスが完了して二つのプレス動作をアクチュエータツールが実行することが試みられる。リング組立体１６０が使用される用途では、ツールの仕事出力が二つのプレス動作を実行するには不十分であるため、試みられたプレス動作は失敗する。中間プレスが最初に実行されると、中間セグメント１６２Ｂ−１および１６２Ｂ−２は閉じられるか部分的に閉じられ、その結果、該領域においてプレス取り付け部品の変形が生ずる。このように、外側セグメントの後続する作動が内側セグメントの係合または試みられる「２−プレス」動作を生じない。従って、リング組立体１６０は、中間プレスが外部プレスの完了の前にシーケンスで実行されることを確実にする構造を提供する。
【００３５】
図１５Ａおよび図１５Ｂと同様に、追加的なリングセグメントが軸方向に内蔵されてもよい。更に、リング内径でのシールビードおよび保持プレス輪郭の配置は、リングがプレスすることを目的とする取り付け部品の設計によって示されるように再配置され得る。
【００３６】
図１７Ａおよび図１７Ｂは、図１５Ａ、図１５Ｂ、および、図１６に関連して説明したのと同じプレスリング組立体を例示する。しかしながら、図１７Ａおよび図１７Ｂの構造は、外側プレス動作（セグメント１７２Ａ−１、１７２Ａ−２、および、１７２Ｃ−１、１７２Ｃ−２を用いる）がセグメント１７２Ｂ−１および１７２Ｂ−２を用いる内プレス動作が完了する前に実行されることを確実にするよう設計される。図１７Ａおよび図１７Ｂに例示するように、内側セグメント１７２Ｂ−１、１７２Ｂ−２には、外側セグメント１７２Ａ−１および１７２Ａ−２、１７２Ｃ−１および１７２Ｃ−２の対応する切欠け領域と嵌合するよう設計される外方に延在する切り欠け領域１７４および１７５が設けられる。従って、外側プレス動作が完了する前に中間セグメント１７２Ｂ−１および１７２Ｂ−２でプレスを実行すると、一方のまたは両方の切欠け領域１７４および１７５はプレスされていない領域に対応する外側セグメント対と係合し、結果として、試みられた「２−プレス」動作およびプレスの失敗を招く。例えば、外側プレスがセグメント１７２Ａ−１および１７２Ａ−２を用いて実行され、その後、プレスが中間セグメント１７２Ｂ−１および１７２Ｂ−２で試みられた場合、切欠け１７５（および例示するリングの底部にあるその対応物）はプレスセグメント１７２Ｃ−１および１７２Ｃ−２に係合して、結果として、試みられた「２−プレス」動作およびプレスの失敗を招く。このようにして、プレスリング組立体１７０は、外側プレス動作が中央プレスの処理動作の前に実行されることが確実となる。
【００３７】
シールビードプレスを実行するに必要な力／仕事量が保持嵌合に必要なそれより少ないため、外側プレスリングセグメント１７２Ａ−１、１７２Ａ−２、および、１７２Ｃ−１、１７２Ｃ−２の最初の作動が二つの保持プレスを完全に完了しないが、中間セグメント１７２Ｂ−１、１７２Ｂ−２がシールビードプレスを完了し更に保持プレスを完了するように図１７Ａおよび図１７Ｂに示す実施形態の設計を調節することが可能となる。このようにして、リング組立体１７０が使用されるツールの完全な仕事出力を利用することができる。このような設計では、取り付け部品をプレスする際の仕事は、三等分に分割されず、完全な第３のプレス動作を結果として生ずるだけでなく、第１および第２のプレス動作も完了する第１の部分プレス動作、第２の部分プレス動作、および、第３の部分プレス動作に分割される。
【００３８】
図１８Ａおよび図１８Ｂは、一般的に、取り付け部品をプレスするに必要な仕事がツールの単一の作動の際に生成される仕事よりも大きい場合にプレスツールが取り付け部品をプレスすることができるようプレス部と係合するために使用され得る別の装置１８０を示す。図１８Ａおよび図１８Ｂは、第１の端部１８１および第２の端部１８２を含む油圧倍力器１８０を例示する。第１の端部１８１は、標準的なプレスツールの端部に取り付けられるよう適合され、プレスツール（図示せず）のピストンによって移動される第１の油圧シリンダ内に第１のピストン１８３を含む。プレスツールが作動すると、第１のピストン１８３はツールのストロークに対応する距離だけ移動して、油圧流体を第１の逆止め弁１８４を介して第２の油圧シリンダに流す。流体が第２の油圧シリンダに導入されると、第２のピストン１８５は第２のストロークに沿って移動する。プレスツールを繰り返し作動すると、図１８Ａおよび図１８Ｂの装置は第２のピストン１８５をプレスツールのストロークよりも大きいストロークだけ移動させ、結果として、プレスツールの単一の作動から利用可能な最大仕事出力を超えるプレスツールと図１８Ａおよび図１８Ｂの装置の組み合わされた組立体の仕事出力が得られる。更に、一旦ユーザがプレスツールの最初の作動でプレス動作を開始すると、第２のシリンダの圧力が手動で開放されるまであるいはプレスが完了されるまでプレスツールはプレス取り付け部品にロックされる可能性が高いため、図１８Ａおよび図１８Ｂの装置は使用するのが簡単である。更に、一旦ユーザがプレスを開始すると、ユーザは自身の手を一箇所においておくことができ、ユーザに要求される唯一の運動はプレスツールの再作動となる（例えば、「銃型」ツールにおいて起動する）。
【００３９】
図１８Ａおよび図１８Ｂの実施形態では、第１および第２のピストン１８３および１８５の両方は、シリンダの後方の圧力が解放されると固定の開始点に戻るようばね付勢される。例示する実施形態では、キックダウンリリーフ弁１８６が設けられることにより、第２のシリンダは第２のシリンダの圧力が所望のプレス結果を実現するに十分な仕事出力に対応すると自動的に引っ込められる。同様のキックダウンリリーフ弁が第１のシリンダ用に設けられてもよい。キックダウンリリーフ弁の代わりに、標準的なリリーフ弁が手動のリリーフで使用されてもよい。
【００４０】
図１８Ａおよび図１８Ｂの実施形態では、直径が第１のシリンダよりも大きく、且つ、ストロークが第１のシリンダよりも長い第２のシリンダが示される。このようにして、ツールの多数の作動後のプレスツールからの有効仕事量は、ツールからの力が効果的に増加され、且つ、ツールのストロークが増加されるという理由により増加される。力だけ、あるいは、ストロークだけが増加される代替的な実施形態も考えられる。
【００４１】
ツールの最大ワンストローク仕事出力よりも大きい仕事要件を有する取り付け部品をプレスツールがプレスすることが可能となることに加え、図１８Ａおよび図１８Ｂの装置は帰還センサ等の使用を通じてツールの効果的な動作を向上することができるという潜在的な利点を有する。例えば、第１および／または第２のシリンダの圧力、および／または、第１および／または第２のピストンの実際の移動を測定するために、圧力および／または他のセンサが図１８Ａおよび図１８Ｂの装置に追加されてもよい。このような情報は、プレス処理を確認および／または診断する際に使用されるよう装置の外部に供給されてもよい。このようにして、「装置を備えた」素子が、「装置を備えない」ツールを「装置を備えた」ツールに変更することができる。
【００４２】
図１８Ａおよび図１８Ｂの装置の更なる利点は、所望のプレスに達するために標準的なプレスツール以外にメインアクチュエータの使用が可能となる点である。例えば、プレスツール以外の作動素子が、第１のピストンの所望の運動を実現するために使用されてもよい。送りねじが第１のピストンを移動させるために使用される実施形態も考えられる。このような代替的な実施形態では、完全なプレスツールのコストが正当化されていない状況および／または電気が利用可能でないおよび／または使用することが望ましくない状況でプレス取り付け部品の使用が可能となる。
【００４３】
図１８Ａおよび図１８Ｂの装置は第１および第２の油圧シリンダが端から端に位置決めされているが、他の構成も可能であることは明らかであろう。例えば、ツール／装置組立体全体の重心をエンドユーザの手の近くで維持するために、二つの油圧シリンダを並列に積層する、または、一方を他方の上に重ねることでより小型の設計が可能となる。更に、例示的なキックダウン弁よりも小さい小型の高圧油圧技術および／または弁が、装置のサイズを最小化するために使用され得る。
【００４４】
本発明は、好ましい実施形態を参照して説明したが、他の変形例および代替例も当業者には明らかであろう。従って、本発明は、添付の特許請求の範囲の範囲またはその等価物内に全ての変形例および代替例が完全に網羅されることが意図される。
【図面の簡単な説明】
【００４５】
【図１】一般的に、本開示のある教示に従って構成されるプレスツール１２および顎組立体１４を含む例示的なプレスツール組立体１０を示す図である。
【図２】一般的に、本開示のある教示に従って構成されるプレスツール１２および顎組立体１４を含む例示的なプレスツール組立体１０を示す図である。
【図３】一般的に、プレスを実現するためのプレスリング組立体の使用を示す図である。
【図４】プレスツールを数回作動する必要がある場合にプレスを容易化し得る第１の例示的なプレスアクチュエータ組立体を示す図である。
【図５】多段階プレス動作を容易に可能にするために本開示のある教示に従って構成される例示的なプレスリング組立体５０およびアクチュエータ顎部５２の切り取り図である。
【図６】一般的に、多段階プレスを容易にするために使用され得るプレスリング組立体を示す図である。
【図７】一般的に、多段階プレスを容易にするために使用され得るプレスリング組立体を示す図である。
【図８Ａ】一般的に、多段階プレスを容易にするために使用され得るプレスリング組立体を示す図である。
【図８Ｂ】一般的に、多段階プレスを容易にするために使用され得るプレスリング組立体を示す図である。
【図９】一般的に、多段階プレスを容易にするために使用され得るプレスリング組立体を示す図である。
【図１０】一般的に、多段階プレスを容易にするために使用され得るプレスリング組立体を示す図である。
【図１１】一般的に、多段階プレスを容易にするために使用され得るプレスリング組立体を示す図である。
【図１２】多段階プレス動作を可能にするために偏心部分を有するピンを用いる例示的なプレスアクチュエータ組立体を示す図である。
【図１３】図６から図１１に示すプレスリング組立体および顎部によって生成される力を制御するよう設計される斜面を含む他のプレスリング組立体について有利に使用される一組のアクチュエータ顎部１３０を示す図である。
【図１４】図６から図１１に関連して説明した多段階プレスリング組立体を含むがこれに制限されない任意の多段階プレスリング組立体と使用され得るプレスリングインターロック概念を説明する図である。
【図１５Ａ】別々の保持およびシールビードプレスを伴う多段階プレス動作に特に適したプレスリング組立体１５０を示す図である。
【図１５Ｂ】別々の保持およびシールビードプレスを伴う多段階プレス動作に特に適したプレスリング組立体１５０を示す図である。
【図１６】任意の保持プレスの前にシールビードプレスが実行されることを確実にする、図１５Ａおよび図１５Ｂに関連して先に説明したのと同様のプレスリング組立体１６０を示す図である。
【図１７Ａ】シールビードプレスの前に保持プレスが実行されることを確実にする、図１５Ａおよび図１５Ｂに関連して先に説明したのと同様のプレスリング組立体１７０を示す図である。
【図１７Ｂ】シールビードプレスの前に保持プレスが実行されることを確実にする、図１５Ａおよび図１５Ｂに関連して先に説明したのと同様のプレスリング組立体１７０を示す図である。
【図１８Ａ】一般的に、取り付け部品をプレスするに必要な仕事がツールの単一の作動の際に生成される仕事よりも大きい場合にプレスツールが取り付け部品をプレスすることができるようプレス部と係合するよう使用され得る油圧倍力装置１８０を示す図である。
【図１８Ｂ】一般的に、取り付け部品をプレスするに必要な仕事がツールの単一の作動の際に生成される仕事よりも大きい場合にプレスツールが取り付け部品をプレスすることができるようプレス部と係合するよう使用され得る油圧倍力装置１８０を示す図である。
【図１】
2008521612.tif 000003
【図２】
2008521612.tif 000004
【図３】
2008521612.tif 000005
【図４】
2008521612.tif 000006
【図５】
2008521612.tif 000007
【図６】
2008521612.tif 000008
【図７】
2008521612.tif 000009
【図８Ａ】
2008521612.tif 000010
【図８Ｂ】
2008521612.tif 000011
【図９】
2008521612.tif 000012
【図１０】
2008521612.tif 000013
【図１１】
2008521612.tif 000014
【図１２】
2008521612.tif 000015
【図１３】
2008521612.tif 000016
【図１４】
2008521612.tif 000017
【図１５Ａ】
2008521612.tif 000018
【図１５Ｂ】
2008521612.tif 000019
【図１６】
2008521612.tif 000020
【図１７Ａ】
2008521612.tif 000021
【図１７Ｂ】
2008521612.tif 000022
【図１８Ａ】
2008521612.tif 000023
【図１８Ｂ】
2008521612.tif 000024
【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
取り付け部品をプレスするシステムであって、
所与の仕事出力を有するプレスツールと、
プレスリングアクチュエータ組立体と、
プレスリング組立体と、を備え、
プレスリングアクチュエータ組立体、プレスリング組立体、または、その組み合わせは、取り付け部品に対するプレスを完了するために多段階プレス動作を実行するよう適応され、取り付け部品に対する完全なプレスに必要な仕事はツールの所与の仕事出力よりも大きい、システム。
【請求項２】
多段階プレス動作を実行するよう適応されるプレスリングアクチュエータ組立体、プレスリング組立体、または、その組み合わせが、部分的なプレスまたは完全なプレスに関してプレスリングアクチュエータ組立体、プレスリング組立体、または、その組み合わせを調節する手段を備える、請求項１に記載のシステム。
【請求項３】
プレスリングアクチュエータ組立体が、第１の顎部および第２の顎部を備え、顎部間の最大顎部間隔を調節するよう適応される、請求項１に記載のシステム。
【請求項４】
少なくとも一つの顎部は偏心ピンの回りで回転可能であり、顎部間の顎間隔は少なくとも一つの顎部に対する偏心ピンの回転位置に依存する、請求項３に記載のシステム。
【請求項５】
各顎部は偏心ピンについて回転可能であり、偏心ピンは連結されることで、一方のピンが回転されると他方のピンを回転させる固定の回転関係が維持される、請求項４に記載のシステム。
【請求項６】
顎部に対して調節可能な力のプロフィールを更に備え、少なくとも一つの顎部は第１の角度で第１の係合面を有し、第２の角度で第２の係合面を有する、請求項３に記載のシステム。
【請求項７】
第１の形状の第１の組の先端部分であって、顎部に着脱可能に結合される第１の組の先端部分と、第１の形状と異なる第２の形状の第２の組の先端部分であって、顎部間隔を調節するために第１の組の先端部分と交換可能な第２の組の先端部分と、を更に備える、請求項３に記載のシステム。
【請求項８】
プレスリング組立体が、第１のプレスリング部と第２のプレスリング部とを有する調節可能なプレスリング組立体であって、プレスを完了するためにプレスリング部間の間隔を調節するよう調節可能な係合面を有する調節可能なプレスリング組立体を備える、請求項１に記載のシステム。
【請求項９】
調節可能な係合面が、第１のプレスリング部、第２のプレスリング部、または、その組み合わせに結合される一つ以上の回転可能な偏心ピンを備え、回転することでリング部間の間隔を変更するよう適応される、請求項８に記載のシステム。
【請求項１０】
一つ以上の回転可能な偏心ピンが、リング部を結合するために使用されるピンを含む、請求項９に記載のシステム。
【請求項１１】
調節可能な係合面が、第１のプレスリング部、第２のプレスリング部、または、その組み合わせに結合される一つ以上の横方向に摺動可能なピンを有し、横方向に移動することでリング部間の間隔を変更するよう適応される、請求項８に記載のシステム。
【請求項１２】
調節可能な係合面が、第１のプレスリング部、第２のプレスリング部、または、その組み合わせに結合される一つ以上の回転可能な偏心ピンを備え、回転することでリング部間の間隔を変更するよう適応される、請求項８に記載のシステム。
【請求項１３】
調節可能な係合面が、プレスリング部に結合される一つ以上の可動素子を備え、プレスリングアクチュエータ組立体の顎部と係合する位置に選択的に移動してプレスリング組立体で顎部の係合の間隔を調節するよう適応される、請求項８に記載のシステム。
【請求項１４】
調節可能な係合面が、プレスリング部に結合される一つ以上の歯止め素子を備え、プレスリングアクチュエータ組立体の顎部と係合する位置に選択的に移動してプレスリング組立体で顎部の係合の間隔を調節するよう適応される、請求項８に記載のシステム。
【請求項１５】
調節可能なプレスリング組立体が、第１および第２のプレスリング部に結合される少なくとも第３のプレスリング部と第４のプレスリング部を備え、第１および第２のプレスリング部は第１の間隔で取り付け部品と係合するよう寸法が決められ、第３および第４のプレスリング部は第２の間隔で取り付け部品と係合するよう寸法が決められる、請求項８に記載のシステム。
【請求項１６】
少なくとも一つのプレスリング部が、プレス動作が順に実行されることを必要とする他のプレスリング部と整合する整合素子を有する、請求項１５に記載のシステム。
【請求項１７】
第１の油圧シリンダにおける第１のピストンが第２の油圧シリンダにおける異なるサイズ、ストローク、または、その組み合わせの第２のピストンに結合され、逆止め弁が間に配置される、油圧倍力器を備える、請求項１に記載のシステム。
【請求項１８】
多段階プレス動作で取り付け部品をプレスするシステムであって、
所与のストロークを有するプレスツールで取り付け部品をプレスする際に投入される総仕事量を増加するよう適応され、
プレスを完了するために調節可能な係合面を有し、調節可能な係合面がプレスリングアクチュエータ組立体、またはプレスリングアクチュエータ組立体と協働してプレスするよう適応されるプレスリング組立体、または、その組み合わせに結合される、システム。
【請求項１９】
プレスリングアクチュエータ組立体が、第１の顎部および第２の顎部を備え、顎部間の最大顎部間隔を調節するよう適応される、請求項１８に記載のシステム。
【請求項２０】
少なくとも一つの顎部は偏心ピンの回りで回転可能であり、顎部間の顎間隔は少なくとも一つの顎部に対する偏心ピンの回転位置に依存する、請求項１９に記載のシステム。
【請求項２１】
各顎部が偏心ピンについて回転可能であり、偏心ピンは連結されることで、一方のピンが回転されると他方のピンを回転させる固定の回転関係が維持される、請求項２０に記載のシステム。
【請求項２２】
顎部に対して調節可能な力のプロフィールを更に備え、少なくとも一つの顎部は第１の角度で第１の係合面を有し、第２の角度で第２の係合面を有する、請求項１９に記載のシステム。
【請求項２３】
第１の形状の第１の組の先端部分であって、顎部に着脱可能に結合される第１の組の先端部分と、第１の形状と異なる第２の形状の第２の組の先端部分であって、顎部間隔を調節するために第１の組の先端部分と交換可能な第２の組の先端部分と、を更に備える、請求項１９に記載のシステム。
【請求項２４】
顎部が、第１の顎部の第１の形状の先端部分と第２の顎部の第２の形状の先端部分とを用いて顎部間隔を更に調節するよう適応される、請求項２３に記載のシステム。
【請求項２５】
調節可能なプレスリング組立体が、第１のプレスリング部と第２のプレスリング部とを備え、調節可能なプレスリング組立体はプレスを完了するためにプレスリング部間の間隔を調節するよう調節可能な係合面を有する、請求項１８に記載のシステム。
【請求項２６】
調節可能な係合面が、第１のプレスリング部、第２のプレスリング部、または、その組み合わせに結合される一つ以上の回転可能な偏心ピンを備え、回転することでリング部間の間隔を変更するよう適応される、請求項２５に記載のシステム。
【請求項２７】
一つ以上の回転可能な偏心ピンが、リング部を結合させるために用いられ、リング部が互いに対して回りでピボットするピボットピンを備える、請求項２６に記載のシステム。
【請求項２８】
調節可能な係合面が、第１のプレスリング部、第２のプレスリング部、または、その組み合わせに結合される一つ以上の横方向に摺動可能なピンを備え、横方向に移動することでリング部間の間隔を変更するよう適応される、請求項２５に記載のシステム。
【請求項２９】
調節可能な係合面が、第１のプレスリング部、第２のプレスリング部、または、その組み合わせに結合される一つ以上の回転可能な偏心ピンを備え、回転することでリング部間の間隔を変更するよう適応される、請求項２５に記載のシステム。
【請求項３０】
調節可能な係合面が、プレスリング部に結合される一つ以上の可動素子を備え、プレスリングアクチュエータ組立体の顎部と係合する位置に選択的に移動してプレスリング組立体で顎部の係合の間隔を調節するよう適応される、請求項２５に記載のシステム。
【請求項３１】
調節可能な係合面が、プレスリング部に結合される一つ以上の歯止め素子を有し、プレスリングアクチュエータ組立体の顎部と係合する位置に選択的に移動してプレスリング組立体で顎部の係合の間隔を調節するよう適応される、請求項２５に記載のシステム。
【請求項３２】
調節可能なプレスリング組立体が、第１および第２のプレスリング部に共に結合される少なくとも第３のプレスリング部と第４のプレスリング部を備え、第１および第２のプレスリング部は第１の間隔で取り付け部品と係合するよう寸法が決められ、第３および第４のプレスリング部は第２の間隔で取り付け部品と係合するよう寸法が決められる、請求項２５に記載のシステム。
【請求項３３】
少なくとも一つのプレスリング部が、プレス動作が順に実行されることを必要とする他のプレスリング部と整合する整合素子を備える、請求項３２に記載のシステム。
【請求項３４】
第１の油圧シリンダにおける第１のピストンが第２の油圧シリンダにおける異なるサイズの第２のピストンに結合され、逆止め弁が間に配置される、プレスリングアクチュエータ組立体に結合される油圧倍力器を備える、請求項１８に記載のシステム。
【請求項３５】
多段階プレス動作で取り付け部品をプレスする方法であって、
取り付け部品の回りにプレスリング組立体を配置するステップを含み、プレスリング組立体は互いにピボット結合される第１のリング部および第２のリングを有し、方法はまた
一対の顎部を有するプレスリングアクチュエータ組立体でプレスリング組立体を係合するステップと、
少なくとも部分的に取り付け部品をプレスするために第１および第２のリング部を互いの方向にプレスするようプレスリングアクチュエータ組立体を作動するステップと、
プレスリングアクチュエータ組立体、プレスリング組立体、または、その組み合わせを調節して取り付け部品のより小さい断面寸法を収容し、プレスリングアクチュエータ組立体を再作動してプレスリングでプレスを完了し、所与のストロークを有するプレスツールで取り付け部品をプレスする際に投入される総仕事量を増大させるステップと、を備える方法。
【請求項３６】
調節するステップが、プレスリングアクチュエータ組立体、プレスリング組立体、または、その組み合わせに結合される一つ以上の係合面を調節することを備える、請求項３５に記載の方法。
【請求項３７】
プレスリングアクチュエータ組立体が、第１の顎部および第１の顎部にピンで結合される第２の顎部を備え、
プレスリングアクチュエータ組立体を調節することは、顎部に対してピンを回転させることで顎部間の間隔を調節することを備える、請求項３６に記載の方法。
【請求項３８】
ピンが、偏心部分を備え、顎部に対してピンを回転させることは偏心部分を回転させて間隔を調節することを備える、請求項３７に記載の方法。
【請求項３９】
少なくとも一方の顎部に第１の角度で第１の係合面を設け、第２の角度で第２の係合面を設けることで顎部に対する力のプロフィールを調節するステップを更に備える、請求項３７に記載の方法。
【請求項４０】
第１の形状の第１の組の先端部分であって、顎部に着脱可能に結合される第１の組の先端部分と、第１の形状と異なる第２の形状の第２の組の先端部分を更に備え、プレスリングアクチュエータ組立体を調節することは第１の組の先端部分を第２の組の先端部分で交換して顎部の間隔を調節することを備える、請求項３７に記載の方法。
【請求項４１】
プレスリング組立体が第１のプレスリング部と第２のプレスリング部とを備え、プレスリング組立体を調節することはプレスリング部間の一つ以上の係合面を調節することを備える、請求項３５に記載の方法。
【請求項４２】
係合面が第１のプレスリング部、第２のプレスリング部、または、その組み合わせに結合される一つ以上の回転可能な偏心ピンを備え、一つ以上の係合面を調節することは一つ以上の偏心ピンを回転することを備える、請求項４１に記載の方法。
【請求項４３】
係合面が、第１のプレスリング部、第２のプレスリング部、または、その組み合わせに結合される一つ以上の横方向に摺動可能なピンを備え、一つ以上の係合面を調節することは一つ以上の偏心ピンを横方向に摺動することを備える、請求項４１に記載の方法。
【請求項４４】
係合面が、プレスリング部に結合される一つ以上の可動素子を備え、一つ以上の係合面を調節することは一つ以上の可動素子をプレスリングアクチュエータ組立体の顎部と係合する位置に移動することを備える、請求項４１に記載の方法。
【請求項４５】
調節可能な係合面が、プレスリング部に結合される一つ以上の歯止め素子を備え、一つ以上の係合面を調節することは一つ以上の歯止め素子をプレスリングアクチュエータ組立体の顎部と係合する位置に移動することを備える、請求項４１に記載の方法。
【請求項４６】
調節可能なプレスリング組立体が、第１および第２のプレスリング部に結合される少なくとも第３のプレスリング部と第４のプレスリング部を備え、一つ以上の係合面を調節することは第１の間隔において第１および第２のプレスリング部で取り付け部品を係合し、第２の間隔において第３および第４のプレスリングで取り付け部品を係合することを備える、請求項４１に記載の方法。
【請求項４７】
少なくとも一つのプレスリング部は整合素子を備え、プレスリングアクチュエータ組立体を作動することは順次に第３および第４のプレスリング部の作動に対して第１および第２のプレスリング部の作動を制限することを備える、請求項４６に記載の方法。
【請求項４８】
プレスリングアクチュエータ組立体が、取り付け部品をプレスする際に投入される仕事を増大するよう油圧倍力器を作動することを備える、請求項３５に記載の方法。
【請求項４９】
多段階プレス動作で取り付け部品をプレスするシステムであって、第１の顎部および第２の顎部を有するプレスリングアクチュエータ組立体を備え、プレスリングアクチュエータ組立体は顎間の最大顎部間隔を調節するよう適合される、システム。
【請求項５０】
プレスリングアクチュエータ組立体と選択的に係合するよう適応されるプレスリング組立体を更に備える、請求項４９に記載のシステム。
【請求項５１】
少なくとも一つの顎部が偏心ピンについて回転可能であり、顎部間の顎間隔は少なくとも一つの顎部に対する偏心ピンの回転位置に依存する、請求項４９に記載のシステム。
【請求項５２】
各顎部が偏心ピンについて回転可能であり、偏心ピンは連結されることで、一方のピンが回転されると他方のピンを回転させる固定の回転関係が維持される、請求項５１に記載のシステム。
【請求項５３】
顎部に対して調節可能な力のプロフィールを更に備え、少なくとも一つの顎部は第１の角度で第１の係合面を有し、第２の角度で第２の係合面を有する、請求項４９に記載のシステム。
【請求項５４】
第１の形状の第１の組の先端部分であって、顎部に着脱可能に結合される第１の組の先端部分と、第１の形状と異なる第２の形状の第２の組の先端部分であって、顎部間隔を調節するために第１の組の先端部分と交換可能な第２の組の先端部分と、を更に備える、請求項４９に記載のシステム。
【請求項５５】
第１の油圧シリンダにおける第１のピストンが第２の油圧シリンダにおける異なるサイズの第２のピストンに結合され、逆止め弁が間に配置される、プレスリングアクチュエータ組立体と接続される油圧倍力器を備える、請求項４９に記載のシステム。
【請求項５６】
多段階プレス動作で取り付け部品をプレスするシステムであって、プレスを完了するために調節可能な係合面を有するプレスリング組立体を備える、システム。
【請求項５７】
プレスリング組立体と選択的に係合可能なプレスリングアクチュエータ組立体を備える、請求項５６に記載のシステム。
【請求項５８】
プレスリング組立体が、第１のプレスリングと第２のプレスリング部とを備え、プレスリング組立体はプレスを完了するためにプレスリング部間の間隔を調節するよう調節可能な係合面を有する、請求項５６に記載のシステム。
【請求項５９】
調節可能な係合面が、第１のプレスリング部、第２のプレスリング部、または、その組み合わせに結合される一つ以上の回転可能な偏心ピンを備え、回転することでリング部間の間隔を変更するよう適応される、請求項５８に記載のシステム。
【請求項６０】
一つ以上の回転可能な偏心ピンが、リング部を結合するために使用され、回りでリング部が互いに対してピボットするためのピボットピンを備える、請求項５９に記載のシステム。
【請求項６１】
調節可能な係合面が、第１のプレスリング部、第２のプレスリング部、または、その組み合わせに結合される一つ以上の横方向に摺動可能なピンを備え、横方向に移動することでリング部間の間隔を変更するよう適応される、請求項５８に記載のシステム。
【請求項６２】
調節可能な係合面が、第１のプレスリング部、第２のプレスリング部、または、その組み合わせに結合される一つ以上の回転可能な偏心ピンを備え、回転することでリング部間の間隔を変更するよう適応される、請求項５８に記載のシステム。
【請求項６３】
調節可能な係合面が、プレスリング部に結合される一つ以上の可動素子を備え、プレスリングアクチュエータ組立体の顎部と係合する位置に選択的に移動してプレスリング組立体で顎部の係合の間隔を調節するよう適応される、請求項５８に記載のシステム。
【請求項６４】
調節可能な係合面が、プレスリング部に結合される一つ以上の歯止め素子を備え、プレスリングアクチュエータ組立体の顎部と係合する位置に選択的に移動してプレスリング組立体で顎部の係合の間隔を調節するよう適応される、請求項５８に記載のシステム。
【請求項６５】
プレスリング組立体が、第１および第２のプレスリング部に結合される少なくとも第３のプレスリング部と第４のプレスリング部を備え、第１および第２のプレスリング部は第１の間隔で取り付け部品と係合するよう寸法が決められ、第３および第４のプレスリング部は第２の間隔で取り付け部品と係合するよう寸法が決められる、請求項５８に記載のシステム。
【請求項６６】
少なくとも一つのプレスリング部が、プレス動作が順に実行されることを必要とする他のプレスリング部と整合する整合素子を備える、請求項６５に記載のシステム。
【請求項６７】
第１の油圧シリンダにおける第１のピストンが第２の油圧シリンダにおける異なるサイズの第２のピストンに結合され、逆止め弁が間に配置される、プレスリング組立体と選択的に係合可能な油圧倍力器を備える、請求項５６に記載のシステム。
【請求項６８】
取り付け部品の回りにプレスリング組立体を配置するステップと、プレスリング組立体は互いにピボット結合される第１のリング部および第２のリング部を有し、さらに
一対の顎部を有するプレスリングアクチュエータ組立体でプレスリング組立体を係合するステップと、
少なくとも部分的に取り付け部品をプレスするために第１および第２のリング部を互いの方向にプレスするようプレスリングアクチュエータ組立体を作動するステップと、
プレスリングアクチュエータ組立体、プレスリング組立体、または、その組み合わせを調節して取り付け部品のより小さい断面寸法を収容し、プレスリングアクチュエータ組立体を再作動してプレスリングでプレスを完了し、所与のストロークを有するプレスツールで取り付け部品をプレスする際に投入される総仕事量を増大させるステップと、を備える処理によって製造されるプレスされた取り付け部品。
【国際調査報告】
2008521612.tif 000025
2008521612.tif 000026